(57)【要約】【課題】吊上げる対象物の大きさに柔軟に対応可能であり使い勝手に優れる玉掛け補助を提供する。【解決手段】スリングベルト１０１の両端部に設けられた環状部１０５に引っ掛け使用する玉掛け補助具１であって、基端部１２が連結された３本以上のゴムバンド１１ａ、１１ｂ、１１ｃと、各ゴムバンド１１ａ、１１ｂ、１１ｃの先端部１４に取付けられたワンタッチで前記スリングベルト１０１の環状部１０５に着脱可能なカン３１ａ、３１ｂ、３１ｃと、を備え、前記ゴムバンド１１ａ、１１ｂ、１１ｃは、それぞれ長さが異なる。【選択図】図２
2019108215.tif 000002
【特許請求の範囲】
【請求項１】
玉掛け用具の両端部に設けられた係止部及び／又は係止体に引っ掛け使用する玉掛け補助具であって、
基端部が連結された３本以上の弾性体と、
各弾性体の先端部に取付けられたワンタッチで前記玉掛け用具の係止部及び／又は係止体に着脱可能な先端係止具と、
を備え、
前記弾性体は、それぞれ長さが異なることを特徴とする玉掛け補助具。
【請求項２】
さらに前記弾性体を連結するための連結具を有し、
前記弾性体は、前記連結具に基端部が移動自在に連結され、
前記２つの先端係止具を各々前記玉掛け用具の係止部及び／又は係止体に係止させると、前記連結具を挟み、前記玉掛け用具に係止した２つの弾性体が一直線状となることを特徴とする請求項１に記載の玉掛け補助具。
【請求項３】
前記各弾性体は、基端部に前記連結具に着脱可能な基端係止具を備え、
前記各弾性体は、前記基端係止具を介して、前記連結具に対し移動自在にかつ着脱自在に連結されていることを特徴とする請求項２に記載の玉掛け補助具。
【請求項４】
前記連結具に連結されたいずれか１の前記弾性体を取外し、
取外した前記弾性体の前記基端係止具を、前記連結具に連結されたいずれか１の前記弾性体の前記先端係止具に係止させ、２つの弾性体を直列的に連結可能なことを特徴とする請求項３に記載の玉掛け補助具。
【請求項５】
前記弾性体は、先端部に前記先端係止具を取付ける取付部を有し、
前記先端係止具は２つであり、先端係止具は、各弾性体の先端部に代えて前記弾性体のうち２本の弾性体の取付部に着脱自在に取付けられていることを特徴とする請求項１から３のいずれか１項に記載の玉掛け補助具。
【発明の詳細な説明】
【技術分野】
【０００１】
本発明は、玉掛け作業を補助する玉掛け補助具に関し、特に玉掛け用のロープ等と共に使用する補助具に関する。
【背景技術】
【０００２】
従来、柱上変圧器をクレーンで吊り上げる場合、ベルトスリングのアイが柱上変圧器に設けられたフック等に引っ掛けられる。クレーンが引き上げられベルトスリングにテンションが加わった状態では、ベルトスリングのアイが柱上変圧器のフックから外れることはないが、吊上げ前の状態ではベルトスリングにテンションが加わっていないためベルトスリングのアイが柱上変圧器のフックから外れ易い状態にある。
【０００３】
この状態からクレーンを引き上げるとベルトスリングが柱上変圧器から外れる恐れがあるため、現場ではベルトスリングのアイと柱上変圧器のフックとをバインド線等で固定し、ベルトスリングが柱上変圧器から外れることを防止している。この方法はしっかりと固定できれば効果はあるが手間が掛かる。
【０００４】
このような問題を解決するためにワイヤロープの両端のアイに弾性体を掛け渡し、アイを互いに中央に引き寄せるようにテンションを加えることで、吊り荷のフックからワイヤロープのアイが外れないようにした玉掛け式ワイヤロープが提案されている（例えば特許文献１参照）。同様の機構を用いた玉掛け補助具として、弾性体の長さを変更可能な吊上補助具もある（例えば特許文献２参照）。
【先行技術文献】
【特許文献】
【０００５】
【特許文献１】実開昭５９−３００７３号公報
【特許文献２】特開２００７−２７６９７５号公報
【発明の概要】
【発明が解決しようとする課題】
【０００６】
特許文献１に記載の玉掛け式ワイヤロープは、簡便な構成で使い易いが、弾性体の長さが固定されているため大きさの異なる吊り荷に適切に対応することができない。これに対して特許文献２に記載の吊上補助具は、送りカンを用いて弾性体の長さが可変可能に構成されているので大きの異なる吊り荷に対応できる。しかしながらこの吊上補助具の場合、吊り荷の大きさに対応して都度、弾性体の長さを調整する必要がある。またこの吊上補助具の場合、弾性体の長さを調整可能であるがその範囲は限られたものとなる。
【０００７】
本発明の目的は、吊上げる対象物の大きさに柔軟に対応可能であり使い勝手に優れる玉掛け補助具を提供することである。
【課題を解決するための手段】
【０００８】
本発明は、玉掛け用具の両端部に設けられた係止部及び／又は係止体に引っ掛け使用する玉掛け補助具であって、基端部が連結された３本以上の弾性体と、各弾性体の先端部に取付けられたワンタッチで前記玉掛け用具の係止部及び／又は係止体に着脱可能な先端係止具と、を備え、前記弾性体は、それぞれ長さが異なることを特徴とする玉掛け補助具である。
【０００９】
本発明の玉掛け補助具は、さらに前記弾性体を連結するための連結具を有し、前記弾性体は、前記連結具に基端部が移動自在に連結され、前記２つの先端係止具を各々前記玉掛け用具の係止部及び／又は係止体に係止させると、前記連結具を挟み、前記玉掛け用具に係止した２つの弾性体が一直線状となることを特徴とする。
【００１０】
本発明の玉掛け補助具において、前記各弾性体は、基端部に前記連結具に着脱可能な基端係止具を備え、前記各弾性体は、前記基端係止具を介して、前記連結具に対し移動自在にかつ着脱自在に連結されていることを特徴とする。
【００１１】
また本発明の玉掛け補助具は、前記連結具に連結されたいずれか１の前記弾性体を取外し、取外した前記弾性体の前記基端係止具を、前記連結具に連結されたいずれか１の前記弾性体の前記先端係止具に係止させ、２つの弾性体を直列的に連結可能なことを特徴とする。
【００１２】
また本発明の玉掛け補助具において、前記弾性体は、先端部に前記先端係止具を取付ける取付部を有し、前記先端係止具は２つであり、先端係止具は、各弾性体の先端部に代えて前記弾性体のうち２本の弾性体の取付部に着脱自在に取付けられていることを特徴とする。
【発明の効果】
【００１３】
本発明によれば吊上げる対象物の大きさに柔軟に対応可能であり使い勝手に優れる玉掛け補助具を提供することができる。
【図面の簡単な説明】
【００１４】
【図１】本発明の第１実施形態の玉掛け補助具１の外観図である。
【図２】本発明の第１実施形態の玉掛け補助具１の使用例を示す図である。
【図３】本発明の第１実施形態の玉掛け補助具１の使用例を示す図である。
【図４】本発明の第２実施形態の玉掛け補助具２の外観図である。
【図５】本発明の第２実施形態の玉掛け補助具２の外観図である。
【図６】本発明の第３実施形態の玉掛け補助具３の外観図である。
【図７】本発明の第３実施形態の玉掛け補助具３の使用例を示す図である。
【発明を実施するための形態】
【００１５】
図１は、本発明の第１実施形態の玉掛け補助具１の外観図、図２及び図３は、第１実施形態の玉掛け補助具１の使用例を示す図である。
【００１６】
本発明の第１実施形態の玉掛け補助具１は、玉掛け作業時に使用する玉掛け用具の両端部に設けられた係止部及び／又は係止体に引っ掛け使用する玉掛け補助具であり、基端部１２が連結された３本のゴムバンド１１ａ、１１ｂ、１１ｃと、各ゴムバンド１１ａ、１１ｂ、１１ｃの先端部１４に取付けられた先端係止具であるカン３１ａ、３１ｂ、３１ｃと、を備える。
【００１７】
玉掛け用具は、重量物など吊上げ対象物（以下、吊り荷と記す）を吊り上げるためのロープ又はベルト状の用具であって、本体の両端部にアイと呼ばれる環状部が設けられているもの、一端が環状部で他端にシャックルが取付けられたもの、一端が環状部で他端にフックが取付けられたものが挙げられる。これらのうち環状部が玉掛け用具の係止部、シャックル、フックが玉掛け用具の係止体に該当する。
【００１８】
玉掛け用具を具体的に示せば、両端部にアイと呼ばれる環状部が設けられているものとしてはワイヤロープ、チェーンスリング、繊維ロープスリング、ベルトスリングが挙げられる。一端が環状部で他端にシャックルが取付けられた玉掛け用具としては、シャックル付ワイヤロープが、一端が環状部で他端にフックが取付けられた玉掛け用具としては、フック付ワイヤロープ、フック付チェーンが挙げられる。
【００１９】
玉掛け補助具１の３本のゴムバンド１１ａ、１１ｂ、１１ｃは、材質、幅、厚さが同じである一方でそれぞれ長さが異なる。ゴムバンド１１ａ、１１ｂ、１１ｃの材質等は、特に限定されるものではなく手で引っ張り伸長させることができる公知のゴムバンドを使用することができる。各ゴムバンド１１ａ、１１ｂ、１１ｃの長さを非同一とすることで複数の組合せが可能となり、大きさの異なる吊り荷に柔軟に対応することができる。各ゴムバンド１１ａ、１１ｂ、１１ｃの長さを例示すれば長さの比が１：２：３である。
【００２０】
各ゴムバンド１１ａ、１１ｂ、１１ｃは、両端部に環状部１３、１５を有する。各環状部１３、１５は、ゴムバンド１１ａ、１１ｂ、１１ｃの両端部をそれぞれ折り返し、そこにリング状の接合部材１６を被せ、それをかしめ形成されている。但し、環状部１３、１５の形成要領はこれに限定されるものではなく、縫製し、あるいは接着剤により接着し形成してもよい。
【００２１】
各ゴムバンド１１ａ、１１ｂ、１１ｃの一方の環状部１３は、金属製の連結リング２１に挿通され、各ゴムバンド１１ａ、１１ｂ、１１ｃは、連結リング２１を介して連結される。以降、各ゴムバンド１１ａ、１１ｂ、１１ｃのうち連結リング２１に連結される側を基端部１２、他方を先端部１４という。各ゴムバンド１１ａ、１１ｂ、１１ｃの基端部１２は、連結リング２１から取外しできないが、連結リング２１に対して移動は自由である。
【００２２】
各ゴムバンド１１ａ、１１ｂ、１１ｃの先端部１４の環状部１５にはそれぞれ、先端係止具であるカン３１ａ、３１ｂ、３１ｃが取付けられている。カン３１（３１ａ、３１ｂ、３１ｃ）は、ワンタッチで開閉可能なゲート３２が設けられた環状の金属製品であり、カラビナと同様の形態からなる。ゲート３２は、通常、スプリング（図示省略）を介して閉じており、外れ止め部材としても機能する。
【００２３】
先端係止具は、玉掛け用具の係止部及び／又は係止体にワンタッチで着脱（係止）可能であればカン３１以外の係止具であってもよく、例えばフックを使用することができる。先端係止具には、吊り荷の荷重は加わらず、使用時に玉掛け用具の両端部の係止部及び／又は係止体に係止したゴムバンド１１の張力が加わるのみであるから、先端係止具は小型、簡便な構造の係止具を使用することができる。
【００２４】
先端係止具は、玉掛け用具の係止部及び／又は係止体にワンタッチで着脱可能であり、外れ止め部材を備え、引っ掛けた後は容易に外れないものが好ましく、カン３１は好適な先端係止具である。カン３１は、特定のカンに限定されることなく公知のカン、例えばＤカンなどを使用することができる。
【００２５】
第１実施形態の玉掛け補助具１の使用例として、柱上変圧器２０１をスリングベルト１０１を用いてクレーン（図視省略）で吊り上げる場合を例として説明する。ここでは、柱上変圧器２０１が吊り荷、スリングベルト１０１が玉掛け用具となる。
【００２６】
柱上変圧器２０１は、底有り円筒状の本体２０２の上面を覆うように上蓋２０４が被せられ、吊耳兼用蓋締付座２０５を介して蓋２０４が本体２０２に固定されている公知の柱上変圧器である。吊耳兼用蓋締付座２０５は、本体２０２の上端近傍の外壁面２０３に円周方向に９０°ピッチで４か所設けられている。吊耳兼用蓋締付座２０５は、平面視において本体２０２及び上蓋２０４から突出し、上端部が上蓋２０４に係止している。
【００２７】
スリングベルト１０１は、本体１０３の両端部にアイと呼ばれる環状部１０５を備える公知のスリングベルトである。
【００２８】
柱上変圧器２０１を、スリングベルト１０１を用いてクレーンで吊り上げる場合、スリングベルト１０１の本体１０３の中心部をクレーンのフック３０１に引っ掛ける。続いてスリングベルト１０１の両端の環状部１０５をそれぞれ、柱上変圧器２０１に設けられた対向する２か所の吊耳兼用蓋締付座２０５の下端部２０６に引っ掛ける。但し、この状態では、スリングベルト１０１にテンションが加わっていないため、実質的にはスリングベルト１０１の両端の環状部１０５は、柱上変圧器２０１の吊耳兼用蓋締付座２０５を囲むように位置しているに過ぎない。
【００２９】
この状態のスリングベルト１０１に玉掛け補助具１を取り付ける。具体的には、柱上変圧器２０１の直径から２つのゴムバンド１１ａ、１１ｂを選択し、一方のゴムバンド１１ａの先端部１４に取付けられたカン３１ａをスリングベルト１０１の一方の環状部１０５に引っ掛ける。同様に、他方のゴムバンド１１ｂの先端部１４に取付けられたカン３１ｂをスリングベルト１０１の他方の環状部１０５に引っ掛ける。
【００３０】
ここでゴムバンド１１ａ、１１ｂは、玉掛け補助具１をスリングベルト１０１に上記要領で取付けたとき、スリングベルト１０１の両側の環状部１０５を互いが近づくように引っ張ることのできるものを選択する。ゴムバンド１１ａ、１１ｂは伸長するため、ゴムバンド１１ａ、１１ｂを選択する際は、柱上変圧器２０１の直径を参考にしてそれによりも短い組み合わせのものを選択すればよい。
【００３１】
一方のゴムバンド１１ａの先端部１４に取付けられたカン３１ａをスリングベルト１０１の一方の環状部１０５に、同様に、他方のゴムバンド１１ｂの先端部１４に取付けられたカン３１ｂをスリングベルト１０１の他方の環状部１０５に引っ掛けると、２つのゴムバンド１１ａ、１１ｂのそれぞれの基端部１２が、２つのゴムバンド１１ａ、１１ｂが一直線状となるように移動し、スリングベルト１０１の両側の環状部１０５を内側に引っ張る（図２参照）。
【００３２】
これによりスリングベルト１０１の両側の環状部１０５が吊耳兼用蓋締付座２０５に係止する。この状態からクレーンを引き上げると、スリングベルト１０１がピンと張り、スリングベルト１０１の両側の環状部１０５が吊耳兼用蓋締付座２０５にしっかりと係止する。クレーンの引き上げに伴い、スリングベルト１０１の両側の環状部１０５の間隔が変わったとしてもゴムバンド１１ａ、１１ｂは伸縮するため、玉掛け補助具１は、スリングベルト１０１に取付いたままである（図３参照）。
【００３３】
図４及び図５は、本発明の第２実施形態の玉掛け補助具２の外観図であり、図４は、各ゴムバンド１１ａ、１１ｂ、１１ｃ、１１ｄを広げ、ゴムバンド１１ａと１１ｃとを一直線状とした図、図５は、連結リング２１に各ゴムバンド１１ａ、１１ｂ、１１ｃ、１１ｄを吊り下げた状態の図である。図１から図３に示す本発明の第１実施形態の玉掛け補助具１と同一の構成には、同一の符号を付して説明を省略する。
【００３４】
玉掛け補助具２は、玉掛け補助具１と同様に、玉掛け作業時に使用する玉掛け用具に取付け使用する玉掛け補助具である。玉掛け補助具２は、基本的構成を玉掛け補助具１と同じくするが、各ゴムバンド１１ａ、１１ｂ、１１ｃ、１１ｄの連結リング２１への連結要領が玉掛け補助具１と異なる。
【００３５】
玉掛け補助具２は、それぞれ長さの異なる４本のゴムバンド１１ａ、１１ｂ、１１ｃ、１１ｄを有し、それぞれ基端部１２に基端係止具であるＤ型リング２３が取付けられている。玉掛け補助具１と同様に、４本のゴムバンド１１ａ、１１ｂ、１１ｃ、１１ｄの長さを非同一とすることで複数の組合せが可能となり、大きさの異なる吊り荷２０１に適切に対応することができる。各ゴムバンド１１ａ、１１ｂ、１１ｃ、１１ｄの長さを例示すれば長さの比が１：２：３：４である。
【００３６】
基端係止具であるＤ型リング２３は、各ゴムバンド１１ａ、１１ｂ、１１ｃ、１１ｄの基端部１２の環状部１３及び連結リング２１に係止し、各ゴムバンド１１ａ、１１ｂ、１１ｃ、１１ｄを連結リング２１に連結する。
【００３７】
玉掛け補助具２の使用要領は、第１実施形態の玉掛け補助具１と同じである。玉掛け補助具２は、各ゴムバンド１１ａ、１１ｂ、１１ｃ、１１ｄがＤ型リング２３を介して連結リング２１に連結するため、１個の連結リング２１に多数のゴムバンドを連結させることができる。これにより第１実施形態の玉掛け補助具１以上に大きさの異なる吊り荷に適切に対応することができる。また図５に示すようにコンパクトに収納できる。
【００３８】
図６は、本発明の第３実施形態の玉掛け補助具３の外観図である。図７は、第３実施形態の玉掛け補助具３の使用例を示す図である。図１から図３に示す本発明の第１実施形態の玉掛け補助具１、図４及び図５に示す本発明の第２実施形態の玉掛け補助具２と同一の構成には、同一の符号を付して説明を省略する。
【００３９】
玉掛け補助具３は、玉掛け補助具１、２と同様に、玉掛け作業時に使用する玉掛け用具に取付け使用する玉掛け補助具であり、使用要領は玉掛け補助具１、２と同じである。玉掛け補助具３は、基本的構成を玉掛け補助具１、２と同じくするが、玉掛け補助具１、２のゴムバンド１１が連結リング２１から取外すことができないのに対して、玉掛け補助具３は、連結リング２１に対してゴムバンド１１ａ、１１ｂ、１１ｃが着脱自在な点に特徴がある。
【００４０】
玉掛け補助具３は、長さの異なる３本のゴムバンド１１ａ、１１ｂ、１１ｃの基端部１２に、基端係止具としてカン２５ａ、２５ｂ、２５ｃが取付けられている。カン２５ａ、２５ｂ、２５ｃは、各ゴムバンド１１ａ、１１ｂ、１１ｃの基端部１２の環状部１３及び連結リング２１に係止し、各ゴムバンド１１ａ、１１ｂ、１１ｃを連結リング２１に着脱自在に連結する。カン２５は、カン３１と同様にワンタッチで開閉可能なゲート３２を備えるカンであり、公知のカンを使用することができ、ゴムバンド１１の先端部１４に取付けられているカン３１と同様のカンであってもよい。
【００４１】
本実施形態で使用する基端係止具は、連結リング２１に着脱可能であればカン２５以外の係止具であってもよく、例えばフック、シャックルを使用することができる。基端係止具には、吊り荷の荷重は加わらず、使用時に玉掛け用具の両端部の係止部及び／又は係止体に係止したゴムバンド１１の張力が加わるのみであるから、基端係止具は小型、簡便な構造の係止具を使用することができる。
【００４２】
本実施形態で使用する基端係止具は、連結リング２１に着脱可能であり、外れ止め部材を備え、引っ掛けた後は容易に外れないものが好ましく、カン２５は好適な基端係止具である。カン２５は、特定のカンに限定されることなく公知のカン、例えばＤカンなどを使用することができる。基端係止具は、先端係止具と異なり、着脱（開閉）頻度は少ないため、ワンタッチで着脱可能なものでなくてもよい。
【００４３】
玉掛け補助具３は、連結リング２１に対してゴムバンド１１ａ、１１ｂ、１１ｃが着脱自在であるから、予備のゴムバンドを準備しておけば吊り荷の大きさに対応しゴムバンドを取り替えて使用することもできる。
【００４４】
玉掛け補助具３は、玉掛け補助具１、２と同様の要領で使用が可能である他に、連結リング２１からゴムバンド１１ａ、１１ｂ、１１ｃが着脱自在であるから図７に示すような使用方法も可能である。
【００４５】
図７では、連結リング２１からゴムバンド１１ｃを取外し、ゴムバンド１１ｃの基端係止具であるカン２５ｃを、ゴムバンド１１ｂの先端係止具であるカン３１ｂに係止し、ゴムバンド１１ｂとゴムバンド１１ｃとを直列に連結する。カン２５ｃ及びカン３１ｂは共にワンタッチで着脱可能に構成されているため、ゴムバンド１１ｂとゴムバンド１１ｃとの連結は容易である。
【００４６】
玉掛け補助具３は、玉掛け補助具１、２の作用効果を備え、さらにゴムバンドの長さを延長させることが可能なため、玉掛け補助具１、２以上に大きさの異なる吊り荷に柔軟に対応することができる。本実施形態の玉掛け補助具３は、ゴムバンド１１が３本であるが、ゴムバンド１１が４本以上であってよい。ゴムバンド１１の本数が４本以上であれば、直列に連結させるゴムバンドの組合せも多様となり、複数のゴムバンドの延長が可能となることは当然である。
【００４７】
第１〜第３実施形態の玉掛け補助具１、２、３に示すように本発明に係る玉掛け補助具は、基端部が連結されたそれぞれの長さが異なる３本以上の弾性体を備えるので、大きさの異なる吊り荷に適切、柔軟に対応することができる。また玉掛け用具の係止部及び／又は係止体にワンタッチで着脱可能なため現場でも簡単に使用することができる。
【００４８】
本発明に係る玉掛け補助具は、上記実施形態に限定されるものではなく要旨を変更しない範囲で変更して使用することができる。第１、第３実施形態の玉掛け補助具１、３では３本のゴムバンドを、第２実施形態の玉掛け補助具２では４本のゴムバンドを使用する例を示したが、ゴムバンドは各実施形態の玉掛け補助具において５本以上であってもよい。
【００４９】
第１〜第３実施形態の玉掛け補助具１、２、３では、連結リング２１を連結具とし、これに各ゴムバンド１１の基端部１２を連結する例を示したが、連結リング２１を使用することなく各ゴムバンドの基端部を互いに結び連結してもよい。また連結具は、連結リング２１以外のものであってもよい。
【００５０】
また第１〜第３実施形態の玉掛け補助具１、２、３では、３本以上のゴムバンド１１の先端部１４に各々先端係止具を備えるが、本発明に係る玉掛け補助具では、先端係止具は最低２個あれば機能を発揮させることができる。１つの連結具に多数のゴムバンドを連結し使用する場合、各ゴムバンドに各々先端係止具を取付けると幾つかの先端係止具は遊んでしまう。そこで先端係止具を２個とし、玉掛け用具の両端部に設けられた係止部及び／又は係止体に引っ掛け使用するゴムバンドに都度、先端係止具を付け替え使用するようにしてもよい。図７に示すようにゴムバンドを直列に連結し使用する場合は、別途、ゴムバンド同士を連結するシャックル、フック、新たなカンを用意してもよい。
【００５１】
また第３実施形態の玉掛け補助具３では、連結リングに連結されたゴムバンドを取外し、取り外したゴムバンドを連結リングに連結された残りのゴムバンドに連結しゴムバンドを延長する例を示したが、連結リングに連結されたゴムバンド以外の予備のゴムバンドを使用し、ゴムバンドを延長させてもよい。
【００５２】
また上記実施形態では、弾性体としてゴムバンドを使用する例を示したが、弾性体はスプリングでもよく、ゴムバンドとスプリングとの組合せでもよい。さらには他の伸縮自在な弾性体であってもよい。
【００５３】
また玉掛け補助具の利便性向上を目的に、各ゴムバンドに長さを明記してもよい。このとき長さを連結具の中心から先端係止具までの長さとしてもよい。また各ゴムバンドに所定の間隔で色分けし、一目で大凡の長さが分かるようにしてもよい。
【００５４】
また第１実施形態では、玉掛け補助具１の使用例として、スリングベルト１０１の本体１０３をクレーンのフック３０１に引っ掛けた後に、玉掛け補助具１を取付ける例を示したが、スリングベルト１０１をクレーンのフック３０１に引っ掛けない状態で玉掛け補助具１を取付けてもよい。この場合であってもスリングベルト１０１の両側の環状部１０５が内側に引っ張られ、スリングベルト１０１の両側の環状部１０５が吊耳兼用蓋締付座２０５に係止する。
【００５５】
また上記実施形態では、吊り荷を柱上変圧器２０１とし、玉掛け用具をスリングベルト１０１とし、スリングベルト１０１を吊耳兼用蓋締付座２０５に係止する例を示したが、吊り荷が柱上変圧器に限定されないこと、玉掛け用具の両端部に設けられた係止部及び／又は係止体を引っ掛ける場所が吊耳兼用蓋締付座に限定されないことはいうまでもない。
【００５６】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５７】
１、２、３  玉掛け補助具
１１ａ、１１ｂ、１１ｃ  ゴムバンド
１２  ゴムバンドの基端部
１４  ゴムバンドの先端部
２１  連結リング
２３  Ｄ型リング
２５ａ、２５ｂ、２５ｃ  カン
３１、３１ａ、３１ｂ、３１ｃ、３１ｄ  カン
３２  ゲート
１０１  スリングベルト
１０３  本体
１０５  環状部
２０１  柱上変圧器
３０１  クレーンのフック
【図１】
2019108215.tif 000003
【図２】
2019108215.tif 000004
【図３】
2019108215.tif 000005
【図４】
2019108215.tif 000006
【図５】
2019108215.tif 000007
【図６】
2019108215.tif 000008
【図７】
2019108215.tif 000009